(57)【要約】【課題】原稿読取前に原稿ガラス上の汚れを検出可能であり、原稿ガラスの汚れ箇所及び他箇所の汚れ状態までをユーザが認識可能にする。【解決手段】原稿搬送部によって搬送される原稿が原稿読取位置から外れているときに、前記原稿読取部が読み取った画像から予め定められた異物画像を検出し、主走査方向における異物画像の主走査方向位置を検出する異物画像位置検出部と、前記異物画像位置検出部によって前記異物画像が検出された場合には、前記主走査方向に並ぶ前記発光素子群を点灯させ、当該異物画像の主走査方向位置から一定範囲内の発光素子を、他の発光素子とは異なる発光形態で点灯させる点灯制御部とを備える（Ｓ１２，Ｓ１４でＹＥＳ，Ｓ１７）。【選択図】図９
2010034680.tif 000002
【特許請求の範囲】
【請求項１】
主走査方向に複数並設された発光素子群で原稿を照射する照射機構を有し、予め定められた原稿読取位置で前記主走査方向に延びる原稿ガラスを介し、当該照射機構により照射される原稿の画像を光学的に読み取る原稿読取部と、
前記原稿読取位置に対して前記原稿読取部の副走査方向に原稿を搬送する原稿搬送部と、
前記原稿搬送部によって搬送される原稿が前記原稿読取位置から外れているときに、前記原稿読取部が読み取った画像から予め定められた異物画像を検出し、前記主走査方向における異物画像の主走査方向位置を検出する異物画像位置検出部と、
前記異物画像位置検出部によって前記異物画像が検出された場合に、前記主走査方向に並ぶ前記発光素子群を点灯させ、当該異物画像の主走査方向位置から一定範囲内の発光素子を、他の発光素子とは異なる発光形態で点灯させる点灯制御部と
を備える画像読取装置。
【請求項２】
前記照射機構は、前記複数並設された発光素子群を副主走査方向に並べて２列備え、
前記点灯制御部は、前記異物画像が検出された場合に、一方列の前記発光素子群を点灯させると共に、他方列の前記発光素子群については、当該異物画像の主走査方向位置から一定範囲内にある発光素子のみを、前記異なる発光形態で点灯させる請求項１に記載の画像読取装置。
【請求項３】
前記照明機構を含む原稿読取部は、副走査方向に移動可能な移動機構を更に有し、
前記原稿ガラスから予め定められた距離となる位置に対して照射光が届かない前記照射機構の副走査方向位置情報を記憶する記憶部と、
前記移動機構を駆動制御する駆動制御部とを備え、
前記異物画像が検出された場合には、前記副走査方向位置情報の示す位置まで前記駆動制御部が前記移動機構に前記照射機構を移動させた後、前記点灯制御部が、前記異物画像検出時における前記発光素子群の点灯制御を行う請求項１又は請求項２に記載の画像読取装置。
【請求項４】
前記原稿読取部の原稿読み取り動作を制御する読取制御部を備え、
前記読取制御部は、前記異物画像位置検出及び当該異物画像位置検出のための前記原稿読取部による読取動作を、前記原稿搬送部による原稿搬送が行われる前に行わせる請求項１乃至請求項３のいずれかに記載の画像読取装置。
【請求項５】
前記原稿読取部の読み取り動作を制御する読取制御部を備え、
前記原稿読取部により原稿に対する読取動作が開始された後に、前記異物画像が検出された場合には、前記読取制御部が前記原稿読取部に原稿読み取り動作を中止させた後、前記点灯制御部が、前記異物画像検出時における前記発光素子群の点灯制御を行う請求項１乃至請求項３のいずれかに記載の画像読取装置。
【請求項６】
前記原稿読取部によって読み取られた原稿画像から画像処理により前記異物画像を除去する画像除去処理部と、
前記画像除去処理部による異物画像の除去処理が可能か否かを判別する判別部とを更に備え、
前記異物画像が検出された場合に、前記判別部によって前記画像除去処理が可能と判別されれば、前記画像除去処理部が前記読み取られた原稿画像から前記異物画像を除去し、前記判別部によって前記画像除去処理が不可能と判別されれば、前記点灯制御部が、前記異物画像検出時における前記発光素子群の点灯制御を行う請求項１乃至請求項３のいずれかに記載の画像読取装置。
【請求項７】
ユーザにより入力される指示に従って前記画像除去処理部が異物画像の除去処理を行う設定とする設定部を更に備え、
前記設定部によって前記画像除去処理を行う設定とされていない場合は、前記画像除去処理部は異物画像の除去処理を行わず、前記点灯制御部が、前記異物画像検出時における前記発光素子群の点灯制御を行う請求項６に記載の画像読取装置。
【請求項８】
前記原稿搬送部は、前記原稿ガラスに対する接離方向に回動可能な回動機構を有し、
前記異物画像が検出された場合、前記点灯制御部は、前記回動機構により前記原稿搬送部が前記原稿ガラスから離れる方向に回動されると、前記異物画像検出時における前記発光素子群の点灯制御を行う請求項１乃至請求項７のいずれかに記載の画像読取装置。
【請求項９】
前記点灯制御部は、前記回動機構による回動で前記原稿搬送部が前記原稿ガラスに当接すると、前記異物画像検出時における前記発光素子群の点灯制御を停止して消灯させる請求項８に記載の画像読取装置。
【請求項１０】
タッチパネル機能を有し、前記異物画像検出時における前記発光素子群の点灯を停止させる指示をユーザから受け付ける指示入力ボタンが表示される表示部と、
前記表示部を駆動制御する表示制御部とを更に備え、
前記表示制御部は、前記点灯制御部により前記異物画像検出時における前記発光素子の点灯が開始されると、前記表示部に前記指示入力ボタンを表示させ、当該指示入力ボタンでユーザからの前記前記発光素子の点灯停止指示が受け付けられた場合に、前記点灯制御部は、前記異物画像検出時における前記発光素子群の点灯制御を停止して消灯させる請求項８又は請求項９のいずれかに記載の画像読取装置。
【請求項１１】
前記表示制御部は、前記回動機構による回動で前記原稿搬送部が前記原稿ガラスに当接して前記点灯制御部が前記発光素子群を消灯させると、前記表示部における前記指示入力ボタンの表示を停止する請求項１０に記載の画像読取装置。
【請求項１２】
請求項１乃至請求項１１のいずれかに記載の画像読取装置と、
前記原稿読取部によって読み取られた原稿画像に基づいて記録媒体に画像形成を行う画像形成部と
を備える画像形成装置。
【発明の詳細な説明】
【技術分野】
【０００１】
本発明は、透明な原稿ガラスの一方主面上を移動するように読取対象の原稿を搬送しつつ、原稿ガラスの他方主面側から原稿の画像を読み取る、いわゆるシートスルー型の画像読取装置及び該画像読取装置を備えた画像形成装置に関する。
【背景技術】
【０００２】
コピー機等の画像形成装置では、シートスルー型の画像読取装置で原稿の画像を読み取って印刷する場合に、画像の中に、副走査方向に沿った筋状の画像が現れることがある。これは、通常、ゴミ、塵或いは搬送される原稿の用紙の紙粉等の異物が画像読取装置のガラス（原稿ガラス）に付着する汚れ等に起因するものである。筋状の画像は、印刷後の記録紙における白地部である地肌部に黒筋となって現れたり画像部分に白筋となって現れたりするため、下記特許文献１に示されるように、当該筋状の画像が検出された場合には、画像読取装置に備えられるスキャナの原稿読取位置を副走査方向に移動させて、上記ゴミ等の無い位置で原稿を読み取り、スキャナ位置の変更時にはユーザに対して警告を行う原稿読み取り装置が提案されている。また、下記特許文献２に示されるように、スキャナの照明機構に、原稿ガラス上における上記汚れ部分を点灯表示させて、ユーザに原稿ガラスの清掃を促すようにした画像読取装置も提案されている。
【特許文献１】特許第３３１３０９８号公報
【特許文献２】特開２００６−１４８６７７号公報
【発明の開示】
【発明が解決しようとする課題】
【０００３】
しかしながら、上記特許文献１に示される原稿読み取り装置では、原稿の読取後にユーザに警告を行うため、一旦原稿読み込み処理を開始すると当原稿読取ジョブ又はコピージョブの終了までユーザが筋状画像の存在を把握できず、また原稿読取後の当該警告は、ユーザに対して原稿ガラスの汚れ位置まで把握させるものではない。また、上記特許文献２に示される画像読取装置の場合、原稿ガラスにおける汚れ箇所のみを点灯表示するため、ユーザは原稿ガラス上の他箇所の汚れのレベルが分からず、その結果、ゴミ等の多い部分であっても拭き残しを発生させる虞がある。
【０００４】
本発明は、上記の問題を解決するためになされたもので、原稿読取前に原稿ガラス上の汚れを検出可能であり、原稿ガラスの汚れ箇所及び他箇所の汚れ状態までをユーザが認識可能にすることを目的とする。
【課題を解決するための手段】
【０００５】
本発明の請求項１に記載の発明は、主走査方向に複数並設された発光素子群で原稿を照射する照射機構を有し、予め定められた原稿読取位置で前記主走査方向に延びる原稿ガラスを介し、当該照射機構により照射される原稿の画像を光学的に読み取る原稿読取部と、
前記原稿読取位置に対して前記原稿読取部の副走査方向に原稿を搬送する原稿搬送部と、
前記原稿搬送部によって搬送される原稿が前記原稿読取位置から外れているときに、前記原稿読取部が読み取った画像から予め定められた異物画像を検出し、前記主走査方向における異物画像の主走査方向位置を検出する異物画像位置検出部と、
前記異物画像位置検出部によって前記異物画像が検出された場合に、前記主走査方向に並ぶ前記発光素子群を点灯させ、当該異物画像の主走査方向位置から一定範囲内の発光素子を、他の発光素子とは異なる発光形態で点灯させる点灯制御部と
を備える画像読取装置である。
【０００６】
また、請求項２に記載の発明は、請求項１に記載の画像読取装置であって、前記照射機構は、前記複数並設された発光素子群を副主走査方向に並べて２列備え、
前記点灯制御部は、前記異物画像が検出された場合に、一方列の前記発光素子群を点灯させると共に、他方列の前記発光素子群については、当該異物画像の主走査方向位置から一定範囲内にある発光素子のみを、前記異なる発光形態で点灯させるものである。
【０００７】
これらの発明では、異物画像位置検出部で原稿読取位置の画像に異物画像が検出された場合には、点灯制御部が、主走査方向に並ぶ上記発光素子群を点灯させ、異物画像が存在する主走査方向位置から一定範囲内の発光素子を、他の発光素子とは異なる発光形態で点灯させる。このため、上記異物画像位置検出及び異物画像位置検出のための読取動作を、原稿読取前に行うことが可能なので、原稿読取部によって実際に原稿読取が開始されていない原稿読取前の時点でも原稿読取位置（すなわち、原稿読取位置に配置されている原稿ガラス上）の汚れを検出可能である。また、上記主走査方向に並ぶ上記発光素子群の点灯により、原稿ガラス上における他箇所の汚れ状態までユーザに認識させることができ、更に、上記異物画像が存在する主走査方向位置から一定範囲内の発光素子について、他の発光素子とは異なる発光形態での点灯が行われるので、原稿ガラスにおける汚れ箇所をユーザに認識させることができる。
【０００８】
また、請求項３に記載の発明は、請求項１又は請求項２に記載の画像読取装置であって、前記照明機構を含む原稿読取部は、副走査方向に移動可能な移動機構を更に有し、
前記原稿ガラスから予め定められた距離となる位置に対して照射光が届かない前記照射機構の副走査方向位置情報を記憶する記憶部と、
前記移動機構を駆動制御する駆動制御部とを備え、
前記異物画像が検出された場合には、前記副走査方向位置情報の示す位置まで前記駆動制御部が前記移動機構に前記照射機構を移動させた後、前記点灯制御部が、前記異物画像検出時における前記発光素子群の点灯制御を行うものである。
【０００９】
この発明によれば、上記異物画像が検出された場合には、駆動制御部が、原稿ガラスから予め定められた距離となる位置に対して照射光が届かない副走査方向位置まで照射機構を移動させた後、点灯制御部が異物画像位置検出時における発光素子群の上記点灯制御を行うので、上記原稿ガラスから予め定められた距離となる位置を、原稿ガラスの上方に位置する標準的に想定されるユーザの目の位置に設定することで、ユーザに眩しさを感じさせることなく、異物画像位置検出時における発光素子群の上記点灯制御により、原稿ガラス上における汚れ箇所及び他箇所をユーザに認識させることができる。
【００１０】
また、請求項４に記載の発明は、請求項１乃至請求項３のいずれかに記載の画像読取装置であって、前記原稿読取部の原稿読み取り動作を制御する読取制御部を備え、
前記読取制御部は、前記異物画像位置検出及び異物画像位置検出のための前記原稿読取部による読取動作を、前記原稿搬送部による原稿搬送が行われる前に行わせるものである。
【００１１】
この発明によれば、異物画像位置検出及び異物画像位置検出のための原稿読取部による読取動作が原稿搬送部による原稿搬送前に行われるので、原稿読取部によって実際に原稿が読み取られる前の時点で原稿読取位置（原稿ガラス上）の汚れを検出可能である。
【００１２】
また、請求項５に記載の発明は、請求項１乃至請求項３のいずれかに記載の画像読取装置であって、前記原稿読取部の読み取り動作を制御する読取制御部を備え、
前記原稿読取部により原稿に対する読取動作が開始された後に、前記異物画像が検出された場合には、前記読取制御部が前記原稿読取部に原稿読み取り動作を中止させた後、前記点灯制御部が、前記異物画像検出時における前記発光素子群の点灯制御を行うものである。
【００１３】
この発明によれば、原稿読取動作の開始後に異物画像が検出されると、読取制御部が原稿読取部に原稿読み取り動作を中止させてから、点灯制御部が異物画像検出時における上記発光素子群の点灯制御を行うので、原稿読み取り位置（原稿ガラス上）に汚れが存在する状態で原稿読み取りが続けられる事態を回避しつつ、ユーザに対して原稿ガラス上における汚れ箇所及び他箇所をユーザに認識させることができる。
【００１４】
また、請求項６に記載の発明は、請求項１乃至請求項３のいずれかに記載の画像読取装置であって、前記原稿読取部によって読み取られた原稿画像から画像処理により前記異物画像を除去する画像除去処理部と、
前記画像除去処理部による異物画像の除去処理が可能か否かを判別する判別部とを更に備え、
前記異物画像が検出された場合に、前記判別部によって前記画像除去処理が可能と判別されれば、前記画像除去処理部が前記読み取られた原稿画像から前記異物画像を除去し、前記判別部によって前記画像除去処理が不可能と判別されれば、前記点灯制御部が、前記異物画像検出時における前記発光素子群の点灯制御を行うものである。
【００１５】
この発明によれば、上記判別部による判別に基づいて、画像処理で上記異物画像を除去可能であれば当該異物画像の除去処理を行い、画像処理では上記異物画像を除去不可能であれば異物画像検出時における発光素子群の点灯制御が行われるので、例えばコピー時の印刷に影響を与えない程度の原稿ガラス汚れであれば、異物画像検出時における発光素子群の点灯制御を行わずに原稿読取及び印刷を完了させ、コピー時の印刷に悪影響を与える程度の原稿ガラス汚れであれば、異物画像検出時における発光素子群の点灯制御によりユーザに対して警告を行う等、ユーザにとっての利便性を向上させることができる。
【００１６】
また、請求項７に記載の発明は、請求項６に記載の画像読取装置であって、ユーザにより入力される指示に従って前記画像除去処理部が異物画像の除去処理を行う設定とする設定部を更に備え、
前記設定部によって前記画像除去処理を行う設定とされていない場合は、前記画像除去処理部は異物画像の除去処理を行わず、前記点灯制御部が、前記異物画像検出時における前記発光素子群の点灯制御を行うものである。
【００１７】
この発明によれば、上記設定部に上記異物画像の除去処理を行うか否かをユーザが所望に応じて選択できるので、画像処理による異物画像除去に頼らずに、実際に原稿ガラス上から汚れを取り除いた上で原稿読み取りを行わせて、原稿読み取り画像の品質向上を図る等が可能になる。
【００１８】
また、請求項８に記載の発明は、請求項１乃至請求項７のいずれかに記載の画像読取装置であって、前記原稿搬送部は、前記原稿ガラスに対する接離方向に回動可能な回動機構を有し、
前記異物画像が検出された場合、前記点灯制御部は、前記回動機構により前記原稿搬送部が前記原稿ガラスから離れる方向に回動されると、前記異物画像検出時における前記発光素子群の点灯制御を行うものである。
【００１９】
この発明によれば、異物画像が検出され、回動機構により原稿搬送部が原稿ガラスから離れる方向に回動された場合に、点灯制御部が異物画像検出時の発光素子群の点灯制御を行うので、原稿搬送部が原稿ガラスから離れてユーザが原稿ガラスを視認できる状態のときにのみ上記異物画像検出時の発光素子群の点灯を行う等、ユーザにとって有意義なタイミングで上記異物画像検出時の発光素子群の点灯を行うことが可能になる。
【００２０】
また、請求項９に記載の発明は、請求項８に記載の画像読取装置であって、前記点灯制御部は、前記回動機構による回動で前記原稿搬送部が前記原稿ガラスに当接すると、前記異物画像検出時における前記発光素子群の点灯制御を停止して消灯させるものである。
【００２１】
この発明によれば、動機構による回動で原稿搬送部が原稿ガラスに当接すると、点灯制御部が、異物画像検出時における発光素子群の点灯制御を停止して消灯させるので、原稿搬送部が原稿ガラスに覆い被さって当接しており、ユーザが原稿ガラスを視認できない状態のときは、上記異物画像検出時の発光素子群の点灯を行わない等、無駄な発光素子の発光を回避させることが可能になる。
【００２２】
また、請求項１０に記載の発明は、請求項８又は請求項９のいずれかに記載の画像読取装置であって、タッチパネル機能を有し、前記異物画像検出時における前記発光素子群の点灯を停止させる指示をユーザから受け付ける指示入力ボタンが表示される表示部と、
前記表示部を駆動制御する表示制御部とを更に備え、
前記表示制御部は、前記点灯制御部により前記異物画像検出時における前記発光素子の点灯が開始されると、前記表示部に前記指示入力ボタンを表示させ、当該指示入力ボタンでユーザからの前記前記発光素子の点灯停止指示が受け付けられた場合に、前記点灯制御部は、前記異物画像検出時における前記発光素子群の点灯制御を停止して消灯させるものである。
【００２３】
この発明によれば、ユーザが、上記表示部の指示入力ボタンから、異物画像検出時における発光素子群の点灯停止の指示を入力することで、ユーザ所望のタイミングで、異物画像検出時の発光素子群の点灯を停止させることができる。
【００２４】
また、請求項１１に記載の発明は、請求項１０に記載の画像読取装置であって、前記表示制御部は、前記回動機構による回動で前記原稿搬送部が前記原稿ガラスに当接して前記点灯制御部が前記発光素子群を消灯させると、前記表示部における前記指示入力ボタンの表示を停止するものである。
【００２５】
この発明によれば、原稿搬送部が原稿ガラスに当接して発光素子群が消灯されているときは、上記発光素子群の点灯停止の指示を受け付ける指示入力ボタンが表示部に表示されないので、ユーザにとって無用な指示入力ボタンを表示部に表示させないことが可能である。
【００２６】
また、請求項１２に記載の発明は、請求項１乃至請求項１１のいずれかに記載の画像読取装置と、
前記原稿読取部によって読み取られた原稿画像に基づいて記録媒体に画像形成を行う画像形成部と
を備える画像形成装置である。
【００２７】
この発明によれば、請求項１乃至請求項１１のいずれかに記載の発明によって得られる作用を奏する。
【発明の効果】
【００２８】
本発明によれば、原稿読取部によって実際に原稿を読み取らない例えば原稿読み取り前の時点でも原稿読取位置（すなわち、原稿読取位置に配置されている原稿ガラス上）の汚れを検出可能であり、また、上記異物画像検出時における発光素子群の点灯により、原稿ガラスにおける汚れ箇所に加えて、原稿ガラス上における他箇所の汚れ状態まで、ユーザに認識させることができる。
【発明を実施するための最良の形態】
【００２９】
以下、本発明に係る画像読取装置及び画像形成装置の実施形態について図面を参照して説明する。尚、以下の実施形態では、本発明の実施形態に係る画像読取装置及び画像形成装置を、カラーコピー、スキャナ、ファクシミリ、プリンタ等の機能を備えた複合機に集約した形態を例に説明する。図１は、本発明に係る画像読取装置及び画像形成装置の一実施形態である複合機１の内部構成を模式的に示した縦断面図である。
【００３０】
複合機１は、大きく分けて、原稿読取機構２００と装置本体３とからなる。原稿読取機構２００は、原稿搬送部２１と、スキャナ部２２と、操作部５と、後述する反転機構及び制御部６１（図３参照）を備えてなる。原稿搬送部２１は、ＡＤＦ（Automatic Document Feeder）を備え、原稿トレイ２１１、ピックアップローラ２１２、搬送ドラム２１３、排紙ローラ２１４及び排紙トレイ２１５を有する。原稿トレイ２１１には、読取対象とされる原稿が載置される。原稿トレイ２１１に載置された原稿は、１枚ずつピックアップローラ２１２によって取り込まれ、間隙を介して順次搬送ドラム２１３へ搬送される。搬送ドラム２１３を経由した原稿は、排紙ローラ２１４によって排紙トレイ２１５へ順次排出される。
【００３１】
スキャナ部（原稿読取部）２２は、原稿の画像を光学的に読み取って画像データを生成するものである。スキャナ部２２は、プラテンガラス２２１、光源（照明機構）２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。このスキャナ部２２は、光源２２２として主走査方向に並ぶ複数のＬＥＤ（Light Emitting Diode）が用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。なお、光源２２２の構成は後述する。
【００３２】
プラテンガラス２２１には、前記原稿搬送部２１によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００３３】
原稿読取機構２００の原稿読取方式としては、プラテンガラス２２１上に載置された原稿をスキャナ部２２が読み取るフラットベッド読取モードと、原稿を原稿搬送部２１（ＡＤＦ）によって取り込み、その搬送途中で原稿を読み取るＡＤＦ読取モードがある。
【００３４】
フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像データを同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００３５】
ＡＤＦ読取モードでは、原稿搬送部２１が原稿トレイ２１１に載置された原稿をピックアップローラ２１２によって１枚ずつ取り込む。このとき、第１キャリッジ２２６及び第２キャリッジ２２７は、ガラス部材等の透明な材質でなる原稿読取窓（原稿ガラス）２３０の下方に位置する予め定められた読取位置Ｐに配置される。原稿搬送部２１による原稿搬送で、原稿が搬送ドラム２１３から排紙トレイ２１５への搬送経路に設けられた原稿読取窓２３０上を通過するとき、光源２２２が原稿を照射し、主走査１ライン分の反射光が第１ミラー２３３、第２ミラー２２４、第３ミラー２２５の順に反射して、結像レンズ２２８に入射する。結像レンズ２２８に入射した光はＣＣＤ２２９の受光面で結像される。続いて原稿は原稿搬送部２１によって搬送され、次のラインが読み取られる。
【００３６】
更に、原稿搬送部２１は、切換ガイド２１６、反転ローラ２１７及び反転搬送路２１８を備えた原稿反転機構（反転部）を有する。この原稿反転機構が、１回目のＡＤＦ読み取りによって表面（原稿の一方の面）が読み取られた原稿を表裏反転させて原稿読取窓２３０に再搬送することで、再度ＣＣＤ２２９によって裏面（原稿の他方の面）の読み取りが行われる。この原稿反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は、排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７によって反転搬送路２１８へ搬送される。その後、切換ガイド２１６は上側へ切り替わり、反転ローラ２１７が逆回転して原稿を搬送ドラム２１３へ再給紙する。
【００３７】
複合機１は、装置本体３と、装置本体３の左方に配設されたスタックトレイ６とを有している。装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００３８】
記録部（画像形成部）４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、画像形成部４０を通過した記録紙をスタックトレイ６又は排出トレイ４８まで搬送する搬送ローラ４６３，４６４等が設けられている。
【００３９】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００４０】
また、装置本体３の前方には、ユーザが操作画面や各種メッセージ等を視認することができる表示部や、種々の操作命令を入力するための操作ボタンを有する操作部５が備えられている。図２は操作部５の正面図の一例である。この操作部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーザに対する操作案内画面が表示される。この表示部５１は、タッチパネル５２と一体的に形成されている。タッチパネル５２は、ユーザによるタッチ操作がなされたときにそのタッチ位置を検出し、該タッチ位置を示す検出信号を後述する制御部６１へ出力するものである。
【００４１】
数字キー群５３は、例えば、複合機１のコピー機能を動作させる際はコピー枚数を、ファクシミリ機能を動作させる際は送信先の電話番号等を入力するためのものである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４２】
図３は、複合機１の電気的な構成を示すブロック図である。尚、図１、図２に示した各部と同一のものには同一の符号を付し、その説明は省略する。複合機１は、原稿搬送部２１、スキャナ部２２、操作部５、画像形成部４０、記憶部６７及び制御部６１を備えて構成される。
【００４３】
原稿搬送部２１は、前記ＡＤＦ読取モードで原稿のコピーやスキャンが行われる際に、原稿トレイ２１１に載置された原稿を自動的に取り込んで、ＣＣＤ２２９による原稿の読み取りが可能なように搬送する。
【００４４】
操作部５は、使用者がコピー機能、プリンタ機能、ファクシミリ機能及びスキャナ機能等に関する操作を行うために使用され、使用者による操作命令（コマンド）等を制御部６１に与える。操作部５は、タッチパネル等を有する表示部５１と、使用者によるコピー実行開始指令、あるいはファクシミリ送信開始指令といった種々の指示入力を行うための前記スタートボタン５５や数字キー群５３等とを含む。
【００４５】
画像形成部４０は、ＣＣＤ２２９によって得られた画像データや、前記パーソナルコンピュータやファクシミリ装置等から転送された画像データに基づいた画像を記録紙に形成する。
【００４６】
記憶部６７は、スキャナ部２２の読取動作により得られた画像データや、後述する制御部６１により処理された画像データ等を記憶する記憶部や、ファクシミリ通信を行う時の短縮釦登録の相手先名称やファクシミリ番号、或いは、ネットワークスキャナとして使用される際の送信相手先のＩＰアドレス、さらには、原稿読取窓２３０に設けられている原稿ガラスから予め定められた距離となる位置に対して照射光が届かない光源２２２の副走査方向位置情報等を予め記憶する。
【００４７】
開閉検知スイッチ５００は、本体３の上面部であってプラテンガラス２２１の外側に設けられ、原稿搬送部２１の開閉状態を検出して制御部６１（点灯制御部６１２）に出力する。
【００４８】
制御部６１は、複合機１全体の動作制御を司るものであり、ＣＰＵ、ＲＡＭ及びＲＯＭ等によって構成される。原稿搬送部２１、スキャナ部２２、操作部５、画像処理部６１５、画像形成部４０は、制御部６１による制御の下で動作する。制御部６１は、ユーザから操作部５に入力された各種の指示信号等に応じて、図略のＲＯＭ又は前記記憶部６７に記憶されている動作制御プログラムに基づいた処理を実行し、各機能部への指示信号の出力、データ転送等を行って複合機１を統括的に制御する。
【００４９】
以上のような構成を有する複合機１においては、ＡＤＦモードにおいて原稿搬送部２１により搬送される原稿に対して原稿読取機構２００により読取動作を行う場合に、原稿読取窓２３０に異物が付着していると、スキャナ部２２における同一の画素が各撮像タイミングで該異物を撮像し、これによって、得られた画像のうち、前記同一の画素の画素位置に対応する主走査方向の位置に、副走査方向に延びる筋状の画像（図４のラインＬ；以下、異物画像という）が形成されることがある。
【００５０】
このような状況を原稿束の全ての原稿に対する読取動作が終了するまで放置しておくと、該読取動作で得られる画像全てに前記異物画像が発生することとなり、ユーザが望まない複写物が生成される。本実施形態の複合機１は、この問題に対し、次に説明する技術を採用する。
【００５１】
すなわち、複合機１は、まず、各原稿について、通常の画像読取動作（原稿に対する画像読取動作）の他に、当該原稿とその１枚前（もしくは１枚後ろ）で搬送される原稿との間（間隙）の予め定められた位置が前記読取位置Ｐに到達する前のタイミングで読取動作を実施する（すなわち、通常の画像読取動作の開始前のタイミングを含む）。換言すると、図４に示すように、複合機１は、ｎ枚目（ｎは１以上の整数）の原稿に対して、通常の画像読取動作を実施する他、（ｎ−１）枚目の原稿の後端縁とｎ枚目の原稿の先端縁との間の予め定められた位置Ｃｎ−１（もしくはｎ枚目の原稿の後端縁と（ｎ＋１）枚目の原稿の先端縁との間の予め定められた位置Ｃｎ＋１）においてそれぞれ読取動作を実施する。
【００５２】
そして、複合機１は、該読取動作で得られた画像データに、前記異物によって生成される画像データ（以下、異物画像データという）が含まれているか否かを判断し、前記異物画像データが含まれている場合には、その異物画像データに基づいて、異物の位置（特に主走査方向位置）も検出する。
【００５３】
なお、図４は、原稿搬送部２１による前記読取位置Ｐまでの原稿搬送路が擬似的に直線であるものとして、原稿搬送部２１によって順番に前記読取位置Ｐへ搬送される各原稿の配列状態を示した図である。
【００５４】
ここで、複合機１は、前記異物画像データを検出した場合の各部の動作モードとして２つのモードを有している。すなわち、複合機１は、スキャナ部２２の読取動作で得られた画像データに基づき、前記異物画像を除去するための画像処理（後述する異物画像除去処理）を実施し、該画像処理後の画像データに基づいて、記録紙に画像を形成する又はデータ保存する異物画像除去モードと、異物画像が検出された場合には前記異物除去処理を実施しないで、前記読取動作を中断して異物が存在する箇所を報知する読取停止モードとを備えている。
【００５５】
本実施形態の複合機１は、上記両モードからユーザが所望のモードを選択できるように構成されている。このモード選択は、例えば図２に示すモード選択画面Ｇ１において可能となっている。ユーザは、操作部５に対して所定の操作を行うことにより、図２に示すモード選択画面Ｇ１が表示部５１に表示される。
【００５６】
図２に示すように、モード選択画面Ｇ１には、異物画像検出時に異物画像を除去する画像処理を行う異物画像除去モードを選択するための異物画像除去モード設定ボタンＢ１と、異物画像検出時に読取動作を中断して異物が存在する箇所を報知するモードを選択するための読取停止モード設定ボタンＢ２とが表示され、異物画像除去モード設定ボタンＢ１又は読取停止モード設定ボタンＢ２に対する押圧操作を行うことで、該ボタンに対応するモードを示すモード指示信号がタッチパネル５２から制御部６１に出力される。
【００５７】
以上の機能を実現するべく、図３に示すように、制御部６１は、異物画像位置検出部６１１と、点灯制御部６１２と、駆動制御部６１３と、読取制御部６１４と、画像処理部（画像除去処理部）６１５と、設定部６１６と、表示制御部６１７、判別部６１８と、読取位置導出部６１９としての機能を有している。
【００５８】
異物画像位置検出部６１１は、原稿搬送部２１によって搬送される原稿が原稿読取位置２３０の原稿ガラスから外れている状態（原稿搬送前、又は先に搬送された原稿と後続の原稿との間）のときにスキャナ部２２が読み取った画像から、予め定められた異物画像を検出し、スキャナ部２２の主走査方向における異物画像の主走査方向位置を検出する。
【００５９】
異物画像位置検出部６１１は、スキャナ部２２による上記読取動作で得られた画像データに基づき、異物に起因して生成される異物画像の有無を検出し、間接的に原稿ガラス上における異物の有無を検出するものである。前述したように、搬送ドラム２１３のうち原稿読取窓２３０に対向する表面は白一色とされているため、前記位置Ｃｎ−１が前記読取位置Ｐを通過するときのタイミングで実施される読取動作では、白色とされた前記表面にスキャナ部２２の光源２２２で光が照射される。
【００６０】
したがって、前記各位置Ｃｎ−１が前記読取位置Ｐを通過するときのタイミングにおいて、原稿ガラス（原稿読取窓２３０）に異物が存在しない場合には、前記タイミングで得られる主走査方向の１ライン分の画像データは、該主走査方向に一様に、白色に対応する比較的大きな画素値を有するものとなる。
【００６１】
一方、前記位置Ｃｎ−１が前記読取位置Ｐを通過するときのタイミングで原稿読取窓２３０に異物が存在する場合、該タイミングで得られる主走査方向の１ライン分の画像データは、画素値が比較的大きい画素データの中に、前記異物に起因して画素値が小さくなった画素データが含まれるものとなる。
【００６２】
これに基づき、異物画像位置検出部６１１は、異物に起因して生じる画像（以下、異物画像という）を検出する処理を行う。すなわち、異物画像位置検出部６１１は、前記位置Ｃｎ−１が前記読取位置Ｐを通過するときのタイミングでの読取動作で得られた画像データについて、画素値が比較的大きい画素データの中に、予め定められた閾値より小さい画素データが含まれているか否かを判別し、画素値が比較的大きい画素データの中に前記閾値より小さい画素データが含まれているとき、前記閾値より小さい画素データを前記異物画像データとして検出する。
【００６３】
さらに、異物画像位置検出部６１１は、主走査方向に並ぶスキャナ部２２のいずれの画素のデータが上記異物画像を構成する画素データであるかを解析して、当該主走査方向における異物画像の位置を検出する。
【００６４】
点灯制御部６１２は、スキャナ部２２の光源２２２の点灯を制御するものである。点灯制御部６１２は、異物画像位置検出部６１１によって異物画像が検出された場合に、主走査方向に並ぶ光源２２２の発光素子群を点灯させ、しかも、当該異物画像の主走査方向位置から一定範囲内に設けられている発光素子を、他の発光素子とは異なる発光形態で点灯させる。当該異なる発光形態とは、例えば、(1)当該一定範囲内に設けられている発光素子の光量を他の発光素子の光量よりも大きくする、(2)当該一定範囲内に設けられている発光素子を点滅させ、他の発光素子は常時発光している状態とする、(3)当該一定範囲内に設けられている発光素子の発光量を一定時間毎に強弱させ、他の発光素子は常時一定の発光量で発光させる、等である。
【００６５】
駆動制御部６１３は、上記スキャナ部２２の第１キャリッジ２２６及び第２キャリッジ２２７をスキャナ部２２の副走査方向（主走査方向に直交する方向）に移動させる例えば図略のモータ等からなる移動機構を駆動制御する。移動機構は、原稿読取機構２００に備えられる。
【００６６】
読取制御部６１４は、スキャナ部２２の原稿読取動作を制御する。読取制御部６１４は、原稿搬送部２１及びスキャナ部２２をはじめとする原稿読取機構２００の各部の読取動作を制御する。特に本実施形態では、読取制御部６１４は、各原稿について、通常の画像読取動作をスキャナ部２２に実施させる他、前記位置Ｃｎ−１（ｎは１以上の整数）が前記読取位置Ｐを通過するときのタイミングでスキャナ部２２に読取動作を実施させる。
【００６７】
画像処理部６１５は、画像データに関する各種画像処理を行う。例えば、画像処理部６１５は、ＣＣＤ２２９によって取得された画像データや、ネットワーク接続されたパーソナルコンピュータ、公衆回線で接続されたファクシミリ装置等から転送されてくる画像データに対して、シェーディング補正、レベル補正、ガンマ補正、色収差補正、ＭＴＦ（Modulation Transfer Function）補正及びスキャナ色補正等の補正処理、画像データの圧縮又は伸長処理、拡大又は縮小処理などの画像加工処理を行う。
【００６８】
また、画像処理部６１５は、異物画像位置検出部６１１により異物画像が検出されると、上記設定されているモードに応じ、画像データに対して異物画像を除去するための異物画像除去処理を実施する。この異物画像除去処理としては、例えば、異物画像の周辺に位置する画像を構成する複数の画像データの平均を算出し、異物画像データに代えてこの平均データを採用する等の周知の画像処理が採用可能である。
【００６９】
設定部６１６は、上述したユーザによるタッチパネル５２の異物画像除去モード設定ボタンＢ１又は読取停止モード設定ボタンＢ２の操作により、操作部５から出力されるモード指示信号に基づき、当該複合機１のモードを設定する。すなわち、(a)モード指示信号により異物画像除去モードが指示されているときは、異物画像位置検出部６１１によって異物が検出されると、スキャナ部２２による原稿読取動作で得られた画像に対して異物画像除去処理を実施し、該画像処理後の画像に基づいて記録紙に画像を形成し又は画像を保存する設定とし、(b)モード指示信号により読取停止モードが指示されているときは、異物画像位置検出部６１１によって異物が検出されると、異物除去処理を実施しないで、スキャナ部２２による読取動作を停止させて、異物が存在する箇所を原稿読みとの部２２の光源２２２に報知させる設定とする。
【００７０】
表示制御部６１７は、表示部５１を駆動制御するものであり、例えば、表示部５１に上記異物画像除去モード設定ボタンＢ１，読取停止モード設定ボタンＢ２を表示させたり、異物画像位置検出部６１１による異物画像検出時にスキャナ部２２の光源２２２の発光素子群の点灯を停止させる指示をユーザから受け付ける指示入力ボタン（図１３）を表示部５１に表示又は非表示させる。
【００７１】
判別部６１８は、画像処理部６１５による異物画像の除去処理が可能か否かを判別する。判別部６１８は、例えば、異物画像位置検出部６１１により検出された異物画像が、予め定められた範囲の領域に収まる画素群で構成されているか否かを判断し、異物画像が当該範囲の領域に収まる画素群で構成されている場合は、画像処理部６１５による異物画像の除去処理が可能と判別し、また、異物画像が当該範囲の領域に収まらない画素群で構成されている場合は、画像処理部６１５による異物画像の除去処理が不可能と判別する。但し、判別部６１８は、１つの連続した領域に存在する異物画像が当該範囲内に収まる画素群か否かで上記異物画像除去処理の可否を判別しもよいし、別個の複数の領域に存在する異物画像の画素群の合計領域が当該範囲内に収まるか否かで異物画像除去処理の可否を判別してもよい。
【００７２】
読取位置導出部６１９は、前記異物画像位置検出部６１１により異物画像が検出された場合に、原稿読取窓２３０のうち異物が付着していない位置を検出し、この位置をスキャナ部２２による読取位置の変更先として導出するものである。図５は、読取位置Ｐに異物Ｄが存在している場合に、スキャナ部２２による読取位置を、読取位置Ｐから読取位置Ｐ’に変更する状況を示す図である。
【００７３】
次に、スキャナ部２２の光源２２２の構成を説明する。図６は光源２２２の上面図、図７は光源２２２と原稿ガラスとを抽出して示す側断面図である。
【００７４】
光源２２２は、図６に示すように、複数の発光素子（例えば、ＬＥＤ（Light Emitting Diode）等からなる）が主走査方向に並設されてなる発光素子群を、原稿搬送部２１によって原稿が搬送される原稿搬送方向である副走査方向に２列並べて備えている。各発光素子群を、それぞれ発光素子群２００Ａ，２００Ｂとする。光源２２２は、上述したように、原稿読取窓２３０に搬送されてきた原稿等を照射するものであり、原稿読取時には、２列の発光素子群２００Ａ，２００Ｂの両方により原稿読取位置に搬送されてきた原稿を照射する。
【００７５】
上記原稿搬送方向における上流側の発光素子群２００Ａは、図７に示すように、当該原稿搬送方向の下流側に向けて発光するように各発光素子LA1…LAnの向きが設定されている。また、当該原稿搬送方向における下流側の発光素子群２００Ｂは、当該原稿搬送方向の上流側に向けて発光するように各発光素子LB1…LBnの向きが設定されている。これら各発光素子LA1…LAn，発光素子 LB1…LBnの各照射光は、原稿読取窓２３０（原稿ガラス）位置で一致するように、各発光素子LA1…LAn，発光素子 LB1…LBnの向き及び光源２２２の高さ位置が設定されている。
【００７６】
また、異物画像位置検出部６１１によって異物画像が検出されたとき、上記原稿搬送方向における上流側の発光素子群２００Ａは、主に原稿ガラス上に検出された汚れ（ゴミ、埃、傷等）の照射に用いられる。また、当該原稿搬送方向における下流側の発光素子群２００Ｂは、主走査方向に延びる原稿ガラス全体の照射に用いられる。
【００７７】
なお、当該光源２２２は、異物画像位置検出部６１１によって異物画像が検出されたときは、駆動制御部６１３により移動機構が駆動されて、記憶部６７に記憶されている上記副走査方向位置情報が示す位置（原稿ガラスから予め定められた距離となる位置に対して照射光が届かない光源２２２の副走査方向位置）まで移動されてから、点灯制御部６１２によって後述の各発光素子群２００Ａ，２００Ｂによる点灯が行われる。当該原稿ガラスから予め定められた距離となる位置とは、標準的な身長からなるユーザが原稿ガラスを当該原稿ガラスの上方から覗き込んだと想定した場合における当該原稿ガラスの高さ位置に対する当該ユーザの目の高さ位置である。この場合、例えば、当該ユーザの目の位置が原稿ガラスの真上としたときに、駆動制御部６１３により、光源２２２は、原稿読取時における原稿照射位置から、副走査方向において原稿搬送方向下流側又は上流側となる上記副走査方向位置情報が示す位置に移動された後に、点灯制御部６１２によって、原稿ガラスに汚れが検出された場合における上記点灯制御が行われる。
【００７８】
また、図６及び図７に示すように、副走査方向において発光素子群２００Ａ及び２００Ｂの間となる第１キャリッジ２２６上の位置には、スリット２２６１が設けられている。このスリット２２６１の下方には第１ミラー２２３が配置されており、当該スリット２２６１を通して、発光素子群２００Ａ及び２００Ｂによって照射された画像が、第１ミラー２２３、第２ミラー２２４、第３ミラー２２５、及び結像レンズ２２８を介してＣＣＤ２２９に読み取られるようになっている。
【００７９】
次に、複合機１による原稿ガラスの汚れ検出及び汚れ報知の処理を説明する。最初に、モード設定処理について説明する。図８はモード設定処理を示すフローチャートである。
【００８０】
複合機１は、上述したように、スキャナ部２２によって読み取られた画像に異物画像を検出した場合の動作モードとして、異物画像を除去する画像処理を実施する異物画像除去モードと、異物画像を除去する画像処理を実施せずにスキャナ部２２による読取動作を中断して異物が存在する箇所をユーザに対して報知する読取停止モードとを備えている。
【００８１】
例えば、ユーザが操作部５のモード設定ボタン５９（図２）を押下することで表示制御部６１７に、表示部５１にモード設定画面を表示させる指示が表示制御部６１７に受け付けられると（Ｓ１でＹＥＳ）、表示制御部６１７は、図２に示したようなモード設定画面Ｇ１を表示部５１に表示させる（Ｓ２）。このモード設定画面Ｇ１において、読取停止モードを選択するための読取停止モード設定ボタンＢ２がユーザにより押圧操作された場合には（Ｓ３でＹＥＳ）、設定部６１６は、複合機１による汚れ検出時のモードを読取停止モードに設定する（Ｓ４）。一方、異物画像除去モードを選択するための異物画像除去モード設定ボタンＢ１がユーザにより押圧操作された場合には（Ｓ３でＮＯ）、設定部６１６は、複合機１による汚れ検出時のモードを異物画像除去モードに設定する（Ｓ５）。
【００８２】
続いて、複合機１による原稿ガラスの汚れ検出及び汚れ報知の処理を説明する。図９は、複合機１による原稿ガラスの汚れ検出及び汚れ報知の処理の第１実施形態を示すフローチャートである。
【００８３】
スタートボタン５５により例えばコピー動作開始指示が入力されると（Ｓ１１でＹＥＳ）、読取制御部６１４は、原稿搬送部２１に原稿トレイ２１１上の原稿を搬送させる前に、スキャナ部２２に、原稿ガラス上の画像を読み取らせる（Ｓ１２）。続いて、異物画像位置検出部６１１が、当該スキャナ部２２によって読み取られた画像から異物画像を検出する処理を行う（Ｓ１３）。なお、当該Ｓ１３では、異物画像位置検出部６１１は、異物画像を検出した場合には、異物画像の主走査方向位置も検出する。
【００８４】
異物画像位置検出部６１１が、スキャナ部２２の読取画像から異物画像を検出しなかった場合（Ｓ１４でＮＯ）、読取制御部６１４が、通常のコピー動作のための原稿読取動作をスキャナ部２２に行わせ（Ｓ１９）、制御部６１が画像形成部４０に当該原稿読取動作で得られた画像に基づく画像形成動作を行わせる（Ｓ２０）。
【００８５】
一方、異物画像位置検出部６１１が、スキャナ部２２によって読み取られた画像から異物画像を検出した場合は（Ｓ１４でＹＥＳ）、制御部６１は、設定部６１６により現在設定されている複合機１のモードが読取停止モードであるか、異物画像除去モードであるかを判断する（Ｓ１５）。
【００８６】
制御部６１が、現在設定されているモードが読取停止モードであると判断すると（Ｓ１５でＹＥＳ）、駆動制御部６１３は、移動機構に、記憶部６７に記憶されている上記副走査方向位置情報が示す副走査方向位置まで、第１キャリッジ２２６及び第２キャリッジ２２７を移動させる（Ｓ１６）。続いて、点灯制御部６１２は、発光素子群２００Ａ及び２００Ｂの全ての発光素子を発光させて原稿ガラスを照射させると共に、発光素子群２００Ａの発光素子LA1…LAnのうち、上記検出された異物画像の主走査方向位置の近傍となる上記一定範囲内に設けられている発光素子を、上述した(1)乃至 (3)のいずれかの発光形態で点灯させる（Ｓ１７）。
【００８７】
これにより、ユーザは、原稿搬送部２１を上方に回動させて、原稿ガラスの上方を開放させると、上記異物が存在する主走査方向位置の発光素子の点灯により、原稿ガラス上における汚れ位置を把握でき、さらに、原稿ガラス上の他の箇所における汚れも把握できる。
【００８８】
一方、制御部６１が、現在設定されているモードが異物除去モードであると判断すると（Ｓ１５でＮＯ）、判別部６１８が、上記検出された異物画像の存在する領域の大きさに基づいて、画像処理部６１５による異物画像除去処理が可能であるか否かの上記判別処理を行う（Ｓ２１）。ここで、判別部６１８が、上記異物画像の異物画像除去処理が不可能と判別した場合は（Ｓ２１でＮＯ）、処理はＳ１６に移る。
【００８９】
また、判別部６１８が、上記異物画像の異物画像除去処理が可能と判別した場合は（Ｓ２１でＹＥＳ）、読取制御部６１４は、通常のコピー動作のための原稿読取動作を原稿搬送部２１及びスキャナ部２２に行わせ（Ｓ２２）、読み取られた画像に対して画像処理部６１５が上記異物除去処理を行う（Ｓ２３）。制御部６１は、画像形成部４０に、当該異物除去処理が施された後の画像に基づく記録紙への画像形成を画像形成部４０に行わせる（Ｓ２４）。
【００９０】
これにより、ユーザは、原稿ガラスの汚れが軽微であって異物画像が画像処理で消去できる程度であれば、原稿読取動作を停止させることなく、そのまま原稿読取及び画像形成を行うことかでき、原稿ガラスの汚れが酷く、異物画像が画像処理による消去では不十分場合には、原稿読取動作を停止させて、ユーザに対して原稿ガラス上の汚れ位置を報知し、ユーザに当該汚れ位置の清掃等を促すことが可能になる。
【００９１】
次に、複合機１による原稿ガラスの汚れ検出及び汚れ報知の処理の第２実施形態を説明する。図１０は、複合機１による原稿ガラスの汚れ検出及び汚れ報知の処理の第２実施形態を示すフローチャートである。なお、第１実施形態と同様の処理は説明を省略する。
【００９２】
第１実施形態では、コピー動作における原稿読取動作開始前に原稿ガラスの汚れ検出及び汚れ報知の処理を行うが、第２実施形態では、コピー動作における原稿読取動作開始後に原稿ガラスの汚れ検出及び汚れ報知の処理を行う。
【００９３】
第２実施形態では、スタートボタン５５により例えばコピー動作開始指示が入力されると（Ｓ３１でＹＥＳ）、読取制御部６１４は、原稿搬送部２１に原稿トレイ２１１上の原稿を搬送させ、スキャナ部２２による原稿読取を開始させる（Ｓ３２）。そして、読取制御部６１４は、スキャナ部２２に、原稿搬送部２１によって原稿読取窓２３０（原稿ガラス）に各原稿が搬送される合間のタイミングで（図４に示すＣｎ−１等）、異常画像検出のために原稿ガラスの画像を読み取らせる（Ｓ３４）。そして、コピー動作時に行うべき他の処理と並行して、異物画像位置検出部６１１により、当該スキャナ部２２での読取画像から異物画像を検出する処理が行われる（Ｓ３５）。
【００９４】
ここで、異物画像位置検出部６１１が、スキャナ部２２の読取画像から異物画像を検出しなかった場合は（Ｓ３６でＮＯ）、読取制御部６１４は、通常のコピー動作のための原稿読取動作をスキャナ部２２に行わせるが（Ｓ４１）、異物画像が検出され（Ｓ３６でＹＥＳ）、更に制御部６１が読取停止モードと判断した場合は（Ｓ３７でＹＥＳ）、読取制御部６１４は原稿搬送部２１及びスキャナ部２２に原稿読取動作を停止させる（Ｓ３８）。そして、駆動制御部６１３は、移動機構に、記憶部６７に記憶されている上記副走査方向位置情報が示す副走査方向位置まで光源２２２等を移動させ（Ｓ３９）、点灯制御部６１２が上記(1)乃至 (3)のいずれかの発光形態での発光素子群２００Ａ，２００Ｂの点灯制御により、原稿ガラス上の汚れ位置を報知させる（Ｓ４０）。
【００９５】
これにより、ユーザは、原稿読み取り動作を開始させた後であっても、原稿ガラスが汚れていれば、原稿ガラス上の汚れ位置を把握でき、さらに、原稿ガラス上の他の箇所における汚れも把握できる。
【００９６】
一方、制御部６１が、現在設定されているモードが異物除去モードであると判断した場合は（Ｓ３７でＮＯ）、判別部６１８により上記異物画像の異物画像除去処理が可能と判別されると（Ｓ４３でＹＥＳ）、読取制御部６１４により原稿読取動作が続行され（Ｓ４４）、画像処理部６１５による異物除去処理が施された後の画像に基づく画像形成が画像形成部４０により行われる（Ｓ４５，Ｓ４６）。また、判別部６１８が、上記異物画像の異物画像除去処理が不可能と判別した場合は（Ｓ４３でＮＯ）、処理はＳ３８に移り、読取制御部６１４が原稿搬送部２１及びスキャナ部２２に原稿読取動作を停止させる。
【００９７】
次に、複合機１による上記汚れ検出実施形態の光源２２２の点灯制御について更に説明する。図１１は、複合機１による上記汚れ検出実施形態の光源２２２の点灯制御を示すフローチャートである。図１２は原稿搬送部２１を上方に回動させた状態を示す複合機１の斜視図、図１３は表示部５１の表示例を示す図である。
【００９８】
複合機１では、上記第１及び第２実施形態で示したＳ１７及びＳ４０の処理を行う場合、以下のようにして点灯制御部６１２が光源２２２の点灯制御を行ってもよい。
【００９９】
原稿搬送部２１は、装置本体３の後縁部を回転軸として原稿搬送部２１を図１２に矢符Ａで示す方向（プラテンガラス２２１に対する接離方向）に開閉自在とする回動機構６００を備えている。開閉検知スイッチ５００は、回動機構６００により原稿搬送部２１がプラテンガラス２２１及び上記原稿ガラスが備えられた本体３の上面部から離れるとオフとなり、回動機構６００により原稿搬送部２１が本体３の上面部に当接した状態の時にオンになる構成とされ、開閉検知スイッチ５００は、当該オン又はオフを示す各信号を制御部６１（点灯制御部６１２）に出力する。
【０１００】
第１及び第２実施形態におけるＳ１７及びＳ４０の処理を行う場合、点灯制御部６１２は、開閉検知スイッチ５００から出力される上記信号に基づいて開閉検知スイッチ５００がオン又はオフのいずれの状態であるかを判断し（Ｓ５１）、開閉検知スイッチ５００がオフの場合は（Ｓ５１でＹＥＳ）、点灯制御部６１２は、発光素子群２００Ａ，２００Ｂの上記点灯制御により光源２２２に原稿ガラス上の汚れ位置を報知させる（Ｓ５２）。そして、表示制御部６１７は、図１３に示すように、ユーザから点灯報知終了指示（光源２２２の発光素子群２００Ａ，２００Ｂの上記点灯制御による報知を終了させる指示）を受け付ける消灯指示入力受付ボタンＢ３を表示部５１に表示させる（Ｓ５３）。
【０１０１】
ユーザによる操作で消灯指示入力受付ボタンＢ３に上記点灯報知終了指示が入力されると（Ｓ５４でＹＥＳ）、点灯制御部６１２は、上記発光素子群２００Ａ，２００Ｂの点灯制御による汚れ位置報知を終了させる（Ｓ５５）。すなわち、点灯制御部６１２は、光源２２２の上記発光素子群２００Ａ，２００Ｂを消灯させる。この後、表示制御部６１７は、表示部５１の消灯指示入力受付ボタンＢ３の表示を停止する（Ｓ５６）。
【０１０２】
一方、ユーザによる操作で消灯指示入力受付ボタンＢ３に上記点灯報知終了指示が入力されない場合は（Ｓ５４でＮＯ）、点灯制御部６１２は、開閉検知スイッチ５００の信号がオン又はオフのいずれを示すかの検出を続け（Ｓ５７）、開閉検知スイッチ５００の信号がオフであれば（Ｓ５７でＮＯ）、処理をＳ５４に戻し、開閉検知スイッチ５００の信号がオンであれば（Ｓ５７でＹＥＳ）、処理をＳ５５に移す。
【０１０３】
当該処理によれば、原稿搬送部２１が原稿ガラス（原稿読取窓２３０）から離れ、ユーザが原稿ガラスを視認できる状態のとき等、ユーザにとって有意義なタイミングで、上記異物画像検出時における発光素子群２００Ａ，２００Ｂの点灯制御による汚れ位置報知を行う等が可能になる。
【０１０４】
なお、本発明は上記実施の形態の構成に限られず種々の変形が可能である。例えば、上記実施形態では、光源２２２は、図６に示した２列の発光素子群２００Ａ，２００Ｂを有する構成とされているが、この構成に代えて、１列のみの発光素子群を備え、点灯制御部６１２は、当該１列の発光素子群の全ての発光素子を発光させて原稿ガラスを照射させ、当該発光素子群の発光素子のうち、上記検出された異物画像の主走査方向位置の近傍となる上記一定範囲内に設けられている発光素子を上述した(1)乃至 (3)のいずれかの発光形態で点灯させるようにしてもよい。
【０１０５】
また、上記第１実施形態で示した原稿ガラスの汚れ検出及び汚れ報知の処理において、異物画像が検出されて原稿読取動作が行われない場合や、第２実施形態において異物画像が検出されて原稿読取動作が停止された場合には（図１０のＳ３８）、読取位置導出部６１９によって検出された原稿読取窓２３０において異物が付着していない副走査方向位置に、駆動制御部６１３がＡＤＦ読取モード時のスキャナ部２２による読取位置を変更した上で、読取制御部６１４が原稿読取動作を再開させるようにしてもよい。
【０１０６】
また、上記実施形態において図１乃至図１３に示した構成及び処理は単なる一例に過ぎず、本発明を当該実施形態に限定する趣旨ではない。
【図面の簡単な説明】
【０１０７】
【図１】本発明に係る画像読取装置及び画像形成装置の一実施形態である複合機の内部構成を模式的に示した縦断面図である。
【図２】操作部の正面図の一例である。
【図３】複合機の電気的な構成を示すブロック図である。
【図４】原稿給送部による読取位置までの原稿搬送路が擬似的に直線であるものとして、原稿給送部によって順番に前記読取位置へ搬送される各原稿の配列状態を示した図である。
【図５】読取位置Ｐに異物Ｄが存在している場合に、原稿読取部による読取位置を、読取位置Ｐから読取位置Ｐ’に変更する状況を示す図である。
【図６】光源の上面図である。
【図７】光源と原稿ガラスとを抽出して示す側断面図である。
【図８】モード設定処理を示すフローチャートである。
【図９】複合機による原稿ガラスの汚れ検出及び汚れ報知の処理の第１実施形態を示すフローチャートである。
【図１０】複合機による原稿ガラスの汚れ検出及び汚れ報知の処理の第２実施形態を示すフローチャートである。
【図１１】複合機による上記汚れ検出実施形態の光源の点灯制御を示すフローチャートである。
【図１２】原稿搬送部を上方に回動させた状態を示す複写機の斜視図である。
【図１３】表示部の表示例を示す図である。
【符号の説明】
【０１０８】
１          複合機
２００      原稿読取機構
３          装置本体
５          操作部
２０        露光ランプ
２１        原稿搬送部
２２        スキャナ部
２２１      プラテンガラス
２２２      光源
４０        画像形成部
５１        表示部
５２        タッチパネル
６１        制御部
６１１      異物画像位置検出部
６１２      点灯制御部
６１３      駆動制御部
６１４      読取制御部
６１５      画像処理部
６１６      設定部
６１７      表示制御部
６１８      判別部
６１９      読取位置導出部
６７        記憶部
２００Ａ，２００Ｂ  発光素子群
２３０      原稿読取窓
５００      開閉検知スイッチ
６００      回動機構
Ｂ１        異物画像除去モード設定ボタン
Ｂ２        読取停止モード設定ボタン
Ｂ３        消灯指示入力受付ボタン
【図１】
2010034680.tif 000003
【図２】
2010034680.tif 000004
【図３】
2010034680.tif 000005
【図４】
2010034680.tif 000006
【図５】
2010034680.tif 000007
【図６】
2010034680.tif 000008
【図７】
2010034680.tif 000009
【図８】
2010034680.tif 000010
【図９】
2010034680.tif 000011
【図１０】
2010034680.tif 000012
【図１１】
2010034680.tif 000013
【図１２】
2010034680.tif 000014
【図１３】
2010034680.tif 000015